(57)【要約】【課題】巾木上面への塵埃の付着堆積が防止され、施工が簡単である巾木を提供する。【解決手段】壁面下端部に床面３に沿うように設置される巾木１であって、その上端縁部４が壁面２に直行する断面において、鋭角に形成され、この上端縁部４の表面が室内側に下降傾斜した傾斜面５として形成されこの傾斜面５の上端が壁面２と段差なく連続するようにした。かかる構成の巾木１によれば、傾斜面５のために巾木１に塵埃が付着堆積することを防止することができる。【選択図】図１
2010071031.tif 000002
【特許請求の範囲】
【請求項１】
壁面下端部に床面に沿うように設置される巾木であって、
その上端縁部が壁面に直行する断面において、鋭角に形成され、
この上端縁部の表面が室内側に下降傾斜した傾斜面として形成され
この傾斜面の上端が壁面と段差なく連続するものであることを特徴とする巾木。
【請求項２】
傾斜面に滑動性を有するコーティング層を設けたことを特徴とする請求項１記載の巾木。
【請求項３】
傾斜面を振動させる振動付与手段を備えたことを特徴とする請求項１又は２記載の巾木。
【発明の詳細な説明】
【技術分野】
【０００１】
本願発明は、壁面下端部に設置される巾木に関するものである。
【背景技術】
【０００２】
通常巾木１は、図４のような形状をしており、その上面９が床面３と平行に形成され、その側面６が壁面２と平行に形成されている。したがって、巾木上面９に塵埃が堆積し、また、上面９と壁面６で構成される入隅部に溜まった塵埃を清掃するのは困難なものであった。
【０００３】
特開２００３−２７７３５号公報（特許文献１）には、巾木の表面を、上記壁面側に位置する上端部側から上記床面側に位置する下端部側に向けて下降傾斜させたことを特徴とする巾木ユニットが開示されている。上記巾木ユニットは上下両端側でそれぞれ隅部を形成する二面の夾角が大きい分だけ、ここへの塵埃の付着堆積が防止されるとしている。
【特許文献１】特開２００３−２７７３５号公報
【発明の開示】
【発明が解決しようとする課題】
【０００４】
しかしながら、上記従来例である巾木ユニットにあっては、巾木ユニットを壁面に取り付ける際に、壁面と巾木ユニットの間に隙間部分が生じ、当該隙間部分に充填材を充填させる必要があった。
【０００５】
本願発明は、上記背景技術に鑑みて発明されたものであり、その課題は、巾木上面への塵埃の付着堆積が防止され、施工が簡単である巾木を提供することである。
【課題を解決するための手段】
【０００６】
上記課題を解決するために、本願請求項１記載の発明では、壁面下端部に床面に沿うように設置される巾木であって、その上端縁部が壁面に直行する断面において、鋭角に形成され、この上端縁部の表面が室内側に下降傾斜した傾斜面として形成されこの傾斜面の上端が壁面と段差なく連続するようにしている。
【０００７】
又、本願請求項２記載の発明では、上記請求項１記載の巾木において、傾斜面に滑動性を有するコーティング層を設けたことを特徴としている。
【０００８】
又、本願請求項３記載の発明では、上記請求項１又は２記載の巾木において、傾斜面を振動させる振動付与手段を備えたことを特徴としている。
【発明の効果】
【０００９】
本願請求項１記載の発明の巾木においては、その上端縁部が壁面に直行する断面において、鋭角に形成され、この上端縁部の表面が室内側に下降傾斜した傾斜面として形成されているため、巾木に塵埃が付着堆積することを防ぐことができ、巾木のような厚みの薄い清掃が困難である箇所の清掃を軽減することができる。
【００１０】
また、巾木の傾斜面の上端が壁面と段差なく連続するものであるため、壁面と巾木の間に隙間が生じることがなく、隙間を埋めるための工数を要しない。そのため、巾木を壁面に簡単に施工することができ、仮に塵埃が巾木に付着堆積したとしても容易に清掃することができる。
【００１１】
又、本願請求項２記載の発明の巾木においては、特に、傾斜面に滑動性を有するコーティング層を設けているため、より、巾木に塵埃が堆積付着し難く、清掃においても容易に塵埃を除去することが可能となる。
【００１２】
又、本願請求項３記載の発明の巾木においては、特に、傾斜面を振動させる振動付与手段を備えたために、振動により塵埃の付着堆積を防止することができ、巾木に付着堆積した塵埃を落とすことができる。
【発明を実施するための最良の形態】
【００１３】
本願発明の第一の実施形態を、図面を参照しながら以下に詳細に説明する。図１は、本実施形態における巾木１の構成を示す断面図である。巾木１は壁面２の下端部に床面３に沿うように設置されており、その上端縁部４が鋭角に形成され、この上端縁部４の表面が室内側に下降傾斜した傾斜面５を備えており、この傾斜面５の上端が壁面２と段差なく連続している。傾斜面５は図１のように巾木１の厚み分だけ前方に傾斜し、その下端縁部で壁面２と平行な側面６と連続しており、その側面６に壁面２に巾木１を固定する際に釘を打ち込む箇所である凹み部７を形成している。凹み部７は、釘の頭が巾木表面から突出しないために設けるものであって、巾木１の厚みも、この凹み部７を形成できる程度の厚みを持たせている。
【００１４】
また、巾木１の傾斜面５には、滑動性を有するコーティング層を設けており、コーティング層の材料には、滑動性を有するフッ素等が挙げられる。
【００１５】
次に、巾木１の壁面２及び床面３への取り付け方法について述べる。巾木１の側面６に設けられた凹み部７に釘を打ち込むことにより、壁面２に巾木１を固定する。また、釘を用いなくても、壁面２及び床面３に接する巾木１の面に接着剤を付与して固定してもよい。この場合、凹み部７を巾木１の側面６に設ける必要はない。
【００１６】
したがって、この実施形態における巾木１においては、巾木１の傾斜面５の上端が壁面６と段差なく連続するものであるため、壁面２と巾木１の間に隙間が生じることがなく、隙間を埋めるための工数を要しない。そのため、巾木１を壁面２に簡単に施工することができ、仮に塵埃が巾木１に付着堆積したとしても容易に清掃することができる。
【００１７】
また、傾斜面５に滑動性を有するコーティング層を設けているため、より巾木１に塵埃が堆積付着し難く、清掃においても容易に塵埃を除去することが可能となる。
【００１８】
次に本願発明の第二の実施形態を、図面を参照しながら以下に説明する。なお、ここでは、上記第一の実施形態と相違する事項についてのみ説明し、その他の事項（構成、作用効果等）については、上記第一の実施形態と同様であるのでその説明を省略する。
【００１９】
図２に示すように、本実施形態における巾木１は、その上端縁部及び下端縁部が鋭角に形成され、この上端縁部から下端縁部へ下降傾斜する傾斜面５が形成され、傾斜面５の下端が床面３と、傾斜面５の上端が壁面２と段差なく連続している。また、傾斜面５には滑動性を有するコーティング層を設けておくことが望ましい。
【００２０】
本実施形態の巾木１は、釘を打ち込む箇所である凹み部７が傾斜面５上に形成されており、この凹み部７に釘を打ち込むことにより壁面２に固定される。なお、接着剤を用いて壁面２に固定してもよい。
【００２１】
したがって、この実施形態における巾木１においては、その下端縁部が鋭角に形成され、傾斜面５の下端が床面３と段差なく連続しているため、巾木１の傾斜面５と床面３で構成される入隅部に塵埃が溜まることを防止でき、その清掃が容易に行える。
【００２２】
次に本願発明の第三の実施形態を、図面を参照しながら以下に説明する。なお、ここでは、上記第一の実施形態と相違する事項についてのみ説明し、その他の事項（構成、作用効果等）については、上記第一の実施形態と同様であるのでその説明を省略する。
【００２３】
図３に示すように、本実施形態における巾木１は傾斜面５を振動させる振動付与手段８を備えている。振動付与手段８は、小型の加振機であり、巾木１の裏側面に接するように配置し、壁面２の空洞部に配線を設ける。なお、加振機は、巾木１に直接、接した位置に配置しなくても、その間に媒介物を設置し加振機による振動を、媒介物を介して巾木１に伝える構成としてもよい。なお、本実施形態においても、傾斜面５には、滑動性を有するコーティング層を設けておくことが望ましい。
【００２４】
したがって、この実施形態における巾木１においては、傾斜面５を振動させる振動付与手段８を備えたために、滑動性を有するコーティングによる塵埃の堆積防止に加え、振動により塵埃の付着堆積をさらに、防止することができ巾木１に付着堆積した塵埃を落とすことができる。
【図面の簡単な説明】
【００２５】
【図１】第一の実施形態における巾木の断面図。
【図２】第二の実施形態における巾木の断面図。
【図３】第三の実施形態における巾木の断面図。
【図４】従来例の巾木の構造説明図。
【符号の説明】
【００２６】
１  巾木
２  壁面
３  床面
４  巾木の上端縁部
５  傾斜面
６  側面
７  凹み部
８  振動付与手段
９  上面
【図１】
2010071031.tif 000003
【図２】
2010071031.tif 000004
【図３】
2010071031.tif 000005
【図４】
2010071031.tif 000006